(57)【要約】【課題】差動信号を扱う場合にクロストーク特性及びピン利用効率の向上が可能な小型のコネクタを提供すること。【解決手段】差動信号を扱うコネクタの２本の信号ピンＳと隣接する１本または２本のグランドピンＧとの組合せにより１レーンを形成するものとする。差動信号を２列千鳥配置のピンに割当てるに際し、基板半田付側のピン割当てとして、１列目の左端に(ＳＧＳ)を割当てて１番目のレーンを形成し、奇数番目のレーンには(ＳＧＳ)、偶数番目のレーンには(ＧＳＳＧ)を割当ててゆき、２列目の左端には(ＧＳＳＧ)を割当てて１番目のレーンを形成し、奇数番目のレーンには(ＧＳＳＧ)、偶数番目のレーンには(ＳＧＳ)を割当ててゆく。【選択図】図３
2012226903.tif 000002
【特許請求の範囲】
【請求項１】
差動信号を２列千鳥配置のピンに割当てるコネクタにおいて、
信号ピン(Ｓ)２本と隣接するグランドピン(Ｇ)１本または２本の組合せにより１レーンを形成するものとし、
コネクタ嵌合側のピン割当てとして、
１列目の端部に(ＳＧＳ)を割当てて１番目のレーンを形成し、奇数番目のレーンには(ＳＧＳ)、偶数番目のレーンには(ＧＳＳＧ)を割当ててゆき、
２列目の端部には(ＧＳＳＧ)を割当てて１番目のレーンを形成し、奇数番目のレーンには(ＧＳＳＧ)、偶数番目のレーンには(ＳＧＳ)を割当ててゆく、
ことを特徴とするコネクタ。
【請求項２】
請求項１に記載のコネクタにおいて、
前記コネクタ嵌合側では、
特に端部の３角形のピン割当てが(Ｓ-Ｇ-Ｇ)となる、
ことを特徴とするコネクタ。
【請求項３】
差動信号を２列千鳥配置のピンに割当てるコネクタにおいて、
信号ピン(Ｓ)２本と隣接するグランドピン(Ｇ)１本または２本の組合せにより１レーンを形成するものとし、
基板半田付側のピン割当てとして、
１列目の端部に(ＳＧＳ)を割当てて１番目のレーンを形成し、奇数番目のレーンには(ＳＧＳ)、偶数番目のレーンには(ＧＳＳＧ)を割当ててゆき、
２列目の端部には(ＧＳＳＧ)を割当てて１番目のレーンを形成し、奇数番目のレーンには(ＧＳＳＧ)、偶数番目のレーンには(ＳＧＳ)を割当ててゆく、
ことを特徴とするコネクタ。
【請求項４】
請求項３に記載のコネクタにおいて、
前記基板半田付側では、
特に端部の３角形のピン割当てが(Ｓ-Ｇ-Ｇ)となる、
ことを特徴とするコネクタ。
【請求項５】
差動信号をコネクタの２列千鳥配置のピンに割当てる信号線の割当て方法において、
信号ピン(Ｓ)２本と隣接するグランドピン(Ｇ)１本または２本の組合せにより１レーンを形成するものとし、
コネクタ嵌合側のピン割当てとして、
１列目の端部に(ＳＧＳ)を割当てて１番目のレーンを形成し、奇数番目のレーンには(ＳＧＳ)、偶数番目のレーンには(ＧＳＳＧ)を割当ててゆき、
２列目の端部には(ＧＳＳＧ)を割当てて１番目のレーンを形成し、奇数番目のレーンには(ＧＳＳＧ)、偶数番目のレーンには(ＳＧＳ)を割当ててゆく、
ことを特徴とする信号線の割当て方法。
【請求項６】
請求項５に記載の信号線の割当て方法において、
前記コネクタ嵌合側では、
特に端部の３角形のピン割当てが(Ｓ-Ｇ-Ｇ)となる、
ことを特徴とする信号線の割当て方法。
【請求項７】
差動信号を２列千鳥配置のピンに割当てる信号線の割当て方法において、
信号ピン(Ｓ)２本と隣接するグランドピン(Ｇ)１本または２本の組合せにより１レーンを形成するものとし、
基板半田付側のピン割当てとして、
１列目の端部に(ＳＧＳ)を割当てて１番目のレーンを形成し、奇数番目のレーンには(ＳＧＳ)、偶数番目のレーンには(ＧＳＳＧ)を割当ててゆき、
２列目の端部には(ＧＳＳＧ)を割当てて１番目のレーンを形成し、奇数番目のレーンには(ＧＳＳＧ)、偶数番目のレーンには(ＳＧＳ)を割当ててゆく、
ことを特徴とする信号線の割当て方法。
【請求項８】
請求項７に記載の信号線の割当て方法において、
前記基板半田付側では、
特に端部の３角形のピン割当てが(Ｓ-Ｇ-Ｇ)となる、
ことを特徴とする信号線の割当て方法。
【請求項９】
複数本のピンを少なくとも基板半田付側で２列にかつ千鳥状に配置し、前記ピンに信号及びグランドを割り当てたコネクタにおいて、
前記信号を割り当てた信号ピン(Ｓ)２本とこれらの間に配置されかつグランドを割り当てたグランドピン(Ｇ)１本とからなる第１の種のレーン(ＳＧＳ)と、グランドを割り当てたグランドピン(Ｇ)２本とこれらの間に直列的に配置されかつ信号を割り当てた信号ピン(Ｓ)２本とからなる第２の種のレーン(ＧＳＳＧ)とを含み、
前記基板半田付側では、前記２列の各々に、前記第１の種のレーン(ＳＧＳ)と前記第２の種のレーン(ＧＳＳＧ)とを交互にかつ列間で位置ずれさせて配置した
ことを特徴とするコネクタ。
【請求項１０】
請求項９に記載のコネクタにおいて、前記２列の一方に配置された第１の種のレーン(ＳＧＳ)のグランドピン(Ｇ)１本と前記２列の他方に配置された第２の種のレーン(ＧＳＳＧ)の信号ピン(Ｓ)２本とが３角形の頂点にそれぞれ位置していることを特徴とするコネクタ。
【請求項１１】
請求項９に記載のコネクタにおいて、前記２列の一方に配置された第１の種のレーン(ＳＧＳ)の信号ピン(Ｓ)２本のうちの１本と前記２列の他方に配置された第２の種のレーン(ＧＳＳＧ)の信号ピン(Ｓ)２本とが３角形の頂点にそれぞれ位置していることを特徴とするコネクタ。
【発明の詳細な説明】
【技術分野】
【０００１】
本発明は、差動信号を伝送するラインの接続に使用され得るコネクタ（ここでは「差動信号用コネクタ」ということもある）に関する。
【背景技術】
【０００２】
対をなす２本の信号線にそれぞれ逆位相の信号からなる差動信号対を割り当てる差動伝送方式が知られている。その差動伝送方式はデータ伝送速度を高速にできるという特長をもつため、昨今では様々な分野において実用されている。差動伝送方式を用いる場合には、差動信号を伝送するラインの接続に差動信号用コネクタが用いられる。その差動信号用コネクタは、相手コネクタに嵌合するためのコネクタ嵌合側と、機器や液晶ディスプレイの基板に接続するための基板半田付側とを有している。
【０００３】
この種のコネクタは特許文献１に開示されており、複数本の信号ピンと複数本のグランドピンとを有している。これらの信号ピン及びグランドピンの割り当てについて、図９及び図１０を用いて説明する。図９及び図１０において、Ｓ＋は差動信号の正相信号を割り当てられた信号ピン、Ｓ−は差動信号の負相信号を割り当てられた信号ピン、Ｇはグランドを割り当てられたグランドピンを表す。また以下の説明では、信号ピンを纏めてＳで表現することもある。
【０００４】
図９を参照すると、コネクタ嵌合側１では、信号ピンＳ＋、信号ピンＳ−、及びグランドピンＧが１列に配列されている。具体的には、左端に(ＧＳＳＧ)を割当て、以後(ＳＳＧ)の繰返しを割当てている。
【０００５】
一方、基板半田付側２では、信号ピンＳ＋、信号ピンＳ−、及びグランドピンＧが全体として２列にかつ千鳥状に配置されている。具体的には、図中で上列の左端に(ＧＳＳＧ)を割当て、以後(ＳＳＧ)の繰返しを割当てていき、図中で下列には(ＳＧＳ)の繰り返しのみを割当てている。
【０００６】
図１０を参照すると、基板半田付側２では、信号ピンＳ＋、信号ピンＳ−、及びグランドピンＧが全体として２列にかつ千鳥状に配置されている。具体的には、図中で基板半田付側２上列の左端に(ＧＳＳＧ)を割当て、以後(ＳＳＧ)の繰返しを割当てていき、図中で基板半田付側２下列の左端には空ピン又はグランドピンを割り当て、以後、上列と同じ割当てにしている。
【先行技術文献】
【特許文献】
【０００７】
【特許文献１】特開２００８−４１６５６号公報
【発明の概要】
【発明が解決しようとする課題】
【０００８】
以下の説明において、２本の信号ピンＳと隣接する１本または２本のグランドピンＧとの組合せを１レーンとして数える。なお、隣り合うレーンはグランドピンＧを共有することで互いに重なってもよい。
【０００９】
図９及び図１０のいずれにおいても、コネクタ嵌合側１では、（ＧＳＳＧ）というレーンを一列に配列しているので、レーン内の２本の信号ピンＳの両側に必ずグランドピンＧが配置されることになり、したがって良好な電気的性能を期待できる。しかし、信号ピンＳ及びグランドピンＧの全てが１列内に配置されるため、コネクタ嵌合側１の左右方向の寸法を小さくすることが困難である。
【００１０】
一方、基板半田付側２では、信号ピンＳ及びグランドピンＧの全てが２列にかつ千鳥状に配置されるため、基板半田付側２の左右方向の寸法を小さく設計したり、ピン間の寸法を大きく設計したりすることが、コネクタ嵌合側１に比べて容易である。
【００１１】
しかしながら、図９の基板半田付側２のような割当てでは、図中の下列において隣接するレーンの信号ピンＳ同士が隣り合うことになるため、クロストークを生じやすい。一方、図１０の基板半田付側２のような割当てでは、図中の上列の左端のグランドピンＧの分だけレーンのピッチがずれているので、図中の下列の左端にもレーンを形成しない余分なピン(空ピン又はグランドピン)を割当てざるを得ず、コネクタが大きくなるかレーンの数を減らさざるを得ない。レーンの数を減らすと、ピン利用効率が小さくなる。このように、クロストーク特性とピン利用効率とはトレードオフの関係にある。
【００１２】
それ故に本発明の課題は、差動信号を扱う場合にクロストーク特性及びピン利用効率の向上が可能な小型のコネクタを提供することにある。
【課題を解決するための手段】
【００１３】
本発明の一態様によれば、差動信号を２列千鳥配置のピンに割当てるコネクタにおいて、信号ピン(Ｓ)２本と隣接するグランドピン(Ｇ)１本または２本の組合せにより１レーンを形成するものとし、コネクタ嵌合側のピン割当てとして、１列目の左端に(ＳＧＳ)を割当てて１番目のレーンを形成し、奇数番目のレーンには(ＳＧＳ)、偶数番目のレーンには(ＧＳＳＧ)を割当ててゆき、２列目の左端には(ＧＳＳＧ)を割当てて１番目のレーンを形成し、奇数番目のレーンには(ＧＳＳＧ)、偶数番目のレーンには(ＳＧＳ)を割当ててゆく、ことを特徴とするコネクタが得られる。
【００１４】
このコネクタにおいて、前記コネクタ嵌合側では、特に左端の３角形のピン割当てが(Ｓ-Ｇ-Ｇ)となることは好ましい。
【００１５】
本発明の他の態様によれば、差動信号を２列千鳥配置のピンに割当てるコネクタにおいて、信号ピン(Ｓ)２本と隣接するグランドピン(Ｇ)１本または２本の組合せにより１レーンを形成するものとし、基板半田付側のピン割当てとして、１列目の左端に(ＳＧＳ)を割当てて１番目のレーンを形成し、奇数番目のレーンには(ＳＧＳ)、偶数番目のレーンには(ＧＳＳＧ)を割当ててゆき、２列目の左端には(ＧＳＳＧ)を割当てて１番目のレーンを形成し、奇数番目のレーンには(ＧＳＳＧ)、偶数番目のレーンには(ＳＧＳ)を割当ててゆく、ことを特徴とするコネクタが得られる。
【００１６】
このコネクタにおいて、前記基板半田付側では、特に左端の３角形のピン割当てが(Ｓ-Ｇ-Ｇ)となることは好ましい。
【００１７】
本発明のさらに他の態様によれば、差動信号をコネクタの２列千鳥配置のピンに割当てる信号線の割当て方法において、信号ピン(Ｓ)２本と隣接するグランドピン(Ｇ)１本または２本の組合せにより１レーンを形成するものとし、コネクタ嵌合側のピン割当てとして、１列目の左端に(ＳＧＳ)を割当てて１番目のレーンを形成し、奇数番目のレーンには(ＳＧＳ)、偶数番目のレーンには(ＧＳＳＧ)を割当ててゆき、２列目の左端には(ＧＳＳＧ)を割当てて１番目のレーンを形成し、奇数番目のレーンには(ＧＳＳＧ)、偶数番目のレーンには(ＳＧＳ)を割当ててゆく、ことを特徴とする信号線の割当て方法が得られる。
【００１８】
この信号線の割当て方法において、前記コネクタ嵌合側では、特に左端の３角形のピン割当てが(Ｓ-Ｇ-Ｇ)となることは好ましい。
【００１９】
本発明のさらに他の態様によれば、差動信号を２列千鳥配置のピンに割当てる信号線の割当て方法において、信号ピン(Ｓ)２本と隣接するグランドピン(Ｇ)１本または２本の組合せにより１レーンを形成するものとし、基板半田付側のピン割当てとして、１列目の左端に(ＳＧＳ)を割当てて１番目のレーンを形成し、奇数番目のレーンには(ＳＧＳ)、偶数番目のレーンには(ＧＳＳＧ)を割当ててゆき、２列目の左端には(ＧＳＳＧ)を割当てて１番目のレーンを形成し、奇数番目のレーンには(ＧＳＳＧ)、偶数番目のレーンには(ＳＧＳ)を割当ててゆく、ことを特徴とする信号線の割当て方法が得られる。
【００２０】
この信号線の割当て方法において、前記基板半田付側では、特に左端の３角形のピン割当てが(Ｓ-Ｇ-Ｇ)となることは好ましい。
【００２１】
本発明のさらに他の態様によれば、複数本のピンを少なくとも基板半田付側で２列にかつ千鳥状に配置し、前記ピンに信号及びグランドを割り当てたコネクタにおいて、前記信号を割り当てた信号ピン(Ｓ)２本とこれらの間に配置されかつグランドを割り当てたグランドピン(Ｇ)１本とからなる第１の種のレーン(ＳＧＳ)と、グランドを割り当てたグランドピン(Ｇ)２本とこれらの間に直列的に配置されかつ信号を割り当てた信号ピン(Ｓ)２本とからなる第２の種のレーン(ＧＳＳＧ)とを含み、前記基板半田付側では、前記２列の各々に、前記第１の種のレーン(ＳＧＳ)と前記第２の種のレーン(ＧＳＳＧ)とを交互にかつ列間で位置ずれさせて配置したことを特徴とするコネクタが得られる。
【００２２】
このコネクタにおいて、前記２列の一方に配置された第１の種のレーン(ＳＧＳ)のグランドピン(Ｇ)１本と前記２列の他方に配置された第２の種のレーン(ＧＳＳＧ)の信号ピン(Ｓ)２本とが３角形の頂点にそれぞれ位置していてもよい。
【００２３】
このコネクタにおいて、前記２列の一方に配置された第１の種のレーン(ＳＧＳ)の信号ピン(Ｓ)２本のうちの１本と前記２列の他方に配置された第２の種のレーン(ＧＳＳＧ)の信号ピン(Ｓ)２本とが３角形の頂点にそれぞれ位置していてもよい。
【発明の効果】
【００２４】
本発明の上述した各態様によると、差動信号を扱う場合にクロストーク特性及びピン利用効率の向上が可能な小型のコネクタを提供することができる。
【図面の簡単な説明】
【００２５】
【図１】本発明の一実施形態に係るコネクタを基板に実装した状態を示し、（ａ）は正面図、（ｂ）は底面図、（ｃ）は右側面図である。
【図２】図１のコネクタのピンに対する差動信号及びグランドの割り当ての一例を示す説明図である。
【図３】図１のコネクタのピンに対する差動信号及びグランドの割り当ての他例（図１の１列目（１）と２列目（２）を上下入替えたピン割り当て）を示す説明図である。
【図４】図２の変形を示す説明図である。
【図５】図３の変形を示す説明図である。
【図６】図１のコネクタのピンに対し、差動信号及びグランドに加え、電源及び低速信号などを割り当てた例を示す説明図である。
【図７】ピンの集まりであるレーンの数とグランドを割り当てたピンの数との関係を示すグラフである。
【図８】レーン数とスペース効率との関係を示すグラフである。
【図９】特許文献１（特開２００８−４１６５６号公報）に開示されている信号ピン及びグランドピンの割り当ての一例の説明図である。
【図１０】特許文献１に開示されている信号ピン及びグランドピンの割り当ての他例の説明図である。
【発明を実施するための形態】
【００２６】
まず図１を参照して、本発明の一実施形態に係るコネクタの全体構成について説明する。
【００２７】
図１のコネクタ１０は、基板１１に実装された差動信号用コネクタであり、絶縁性のハウジング１２と、ハウジング１２に保持された互いに平行な多数の導電性のコンタクト即ちピン１３と、ハウジング１２の外周面を部分的に囲んだ導電性のシェル１４とを含んでいる。このコネクタ１０の相手コネクタ（図示せず）に嵌合する側をコネクタ嵌合側（図１（ａ）参照）と呼び、基板１１に接続する側を基板半田付側（図１（ｂ）参照）と呼ぶ。なお、図中では、ピン１３は幾つかのみを図示し、残りのものについては破線矢印で省略記載している。
【００２８】
多数のピン１３は、ハウジング１２のコネクタ嵌合側部分１２ａの下面に配列されている複数の１列目ピン１３ａと、コネクタ嵌合側部分１２ａの上面に配列された複数の２列目ピン１３ｂとに分かれている。１列目ピン１３ａは、基板半田付側においてハウジング１２から露出して直角に折り曲がり、ハウジング１２に比較的近い位置で基板１１に半田付けされる。一方、２列目ピン１３ｂは、基板半田付側においてハウジング１２から露出して直角に折り曲がり、ハウジング１２から比較的遠い位置で基板１１に半田付けされる。こうして、コネクタ嵌合側及び基板半田付側の各々において、多数のピン１３が２列にかつ千鳥状に配置されている。
【００２９】
次に、図１に示すコネクタ１０の２列千鳥配置のピン１３に対する差動信号の割り当てについて、図２及び図３を用いて説明する。図２及び図３において、Ｓ＋は差動信号の正相信号を割り当てられた信号ピン、Ｓ−は差動信号の負相信号を割り当てられた信号ピン、Ｇはグランドを割り当てられたグランドピンを表す。また以下の説明では、信号ピンを纏めてＳで表現することもある。なお、途中部分は同じ割り当ての繰り返しとなるため、破線矢印で省略記載している。
【００３０】
図２に示す割り当て例においては、２本の信号ピンＳと隣接する１本または２本のグランドピンＧとの組合せにより１レーンを形成するものとする。各レーンを形成する信号ピンＳ及びグランドピンＧを破線枠で囲って示している。
【００３１】
差動信号を２列千鳥配置のピンに割当てるに際し、コネクタ嵌合側のピン割当てとして、１列目（１）の左端に(Ｓ＋、Ｇ、Ｓ−)を割当てて１番目のレーンを形成し、以後奇数番目のレーンには(Ｓ＋、Ｇ、Ｓ−)、偶数番目のレーンには(Ｇ、Ｓ＋、Ｓ−、Ｇ)を割当ててゆき、２列目（２）の左端には(Ｇ、Ｓ＋、Ｓ−、Ｇ)を割当てて１番目のレーンを形成し、以後奇数番目のレーンには(Ｇ、Ｓ＋、Ｓ−、Ｇ)、偶数番目のレーンには(Ｓ＋、Ｇ、Ｓ−)を割当ててゆく。
【００３２】
同様な割り当ては、基板半田付側のピン割当てとしても実施できる。即ち、１列目（１）の左端に(Ｓ＋、Ｇ、Ｓ−)を割当てて１番目のレーンを形成し、以後奇数番目のレーンには(Ｓ＋、Ｇ、Ｓ−)、偶数番目のレーンには(Ｇ、Ｓ＋、Ｓ−、Ｇ)を割当ててゆき、２列目（２）の左端には(Ｇ、Ｓ＋、Ｓ−、Ｇ)を割当てて１番目のレーンを形成し、以後奇数番目のレーンには(Ｇ、Ｓ＋、Ｓ−、Ｇ)、偶数番目のレーンには(Ｓ＋、Ｇ、Ｓ−)を割当ててゆく。
【００３３】
図２に示す割り当て例によれば、レーンは重ならず、隣接するレーンの信号ピンＳ同士の間には必ずグランドピンＧが存在するので、図９を用いて説明した基板半田付側よりもクロストークが少なくなる。また、レーン単位で割当てが完結するので図１０を用いて説明した基板半田付側よりもピン利用効率が大きい。勿論、差動信号を２列千鳥配置のピンに割当てるため、コネクタ嵌合側の左右方向の寸法を小さくすることが容易に可能である。なお、１列目（１）の最左端のレーンにおける２本の信号ピンＳ＋、Ｓ−のうち、一方（Ｓ＋）にはグランドピンＧが２本隣接し、他方（Ｓ−）にはグランドピンＧが３本隣接するが、両者の違いはグランドピンＧの数で高々２：３であるため影響は少ない。
【００３４】
図３に示す割り当て例（１列目ピン１３ａに２列目（２）の配置を割り当て、２列目ピン１３ｂに１列目（１）の配置を割り当てる）においても、２本の信号ピンＳと隣接する１本または２本のグランドピンＧとの組合せにより１レーンを形成するものとする。各レーンを形成する信号ピンＳ及びグランドピンＧを破線枠で囲って示している。
【００３５】
差動信号を２列千鳥配置のピンに割当てるに際し、コネクタ嵌合側のピン割当てとして、１列目（１）の左端に(Ｓ＋、Ｇ、Ｓ−)を割当てて１番目のレーンを形成し、以後奇数番目のレーンには(Ｓ＋、Ｇ、Ｓ−)、偶数番目のレーンには(Ｇ、Ｓ＋、Ｓ−、Ｇ)を割当ててゆき、２列目（２）の左端には(Ｇ、Ｓ＋、Ｓ−、Ｇ)を割当てて１番目のレーンを形成し、以後奇数番目のレーンには(Ｇ、Ｓ＋、Ｓ−、Ｇ)、偶数番目のレーンには(Ｓ＋、Ｇ、Ｓ−)を割当ててゆく。この場合、特に左端の３角形のピン割当てが(Ｓ-Ｇ-Ｇ)となるように割り当てる。
【００３６】
同様な割り当ては、基板半田付側のピン割当てとしても実施できる。即ち、１列目（１）の左端に(Ｓ＋、Ｇ、Ｓ−)を割当てて１番目のレーンを形成し、以後奇数番目のレーンには(Ｓ＋、Ｇ、Ｓ−)、偶数番目のレーンには(Ｇ、Ｓ＋、Ｓ−、Ｇ)を割当ててゆき、２列目（２）の左端には(Ｇ、Ｓ＋、Ｓ−、Ｇ)を割当てて１番目のレーンを形成し、以後奇数番目のレーンには(Ｇ、Ｓ＋、Ｓ−、Ｇ)、偶数番目のレーンには(Ｓ＋、Ｇ、Ｓ−)を割当ててゆく。この場合にも、特に左端の３角形のピン割当てが(Ｓ-Ｇ-Ｇ)となるように割り当てる。
【００３７】
図３に示す割り当て例によれば、レーンは重ならず、隣接するレーンの信号ピンＳ同士の間には必ずグランドピンＧが存在するので、図９を用いて説明した基板半田付側よりもクロストークが少ない。また、レーン単位で割当てが完結するので図１０を用いて説明した基板半田付側よりもピン利用効率が大きい。勿論、差動信号を２列千鳥配置のピンに割当てるため、コネクタ嵌合側の左右方向の寸法を小さくすることが容易に可能である。さらに、全レーンにおいて、信号ピンＳに隣接するグランドピンＧの数が２本に統一されるという利点もある。
【００３８】
また図１のコネクタ１０は、複数本のピン１３を少なくとも基板半田付側で２列にかつ千鳥状に配置し、これらのピン１３に対し次に説明するような形態で信号及びグランドを割り当てたものであるともいえる。
【００３９】
この場合、コネクタ１０は、信号を割り当てた２本の信号ピンＳとこれらの間に配置されかつグランドを割り当てた１本のグランドピンＧとからなる第１の種のレーン(ＳＧＳ)と、グランドを割り当てた２本のグランドピンＧとこれらの間に直列的に配置されかつ信号を割り当てた２本の信号ピンＳとからなる第２の種のレーン(ＧＳＳＧ)とを含むことになる。そして、基板半田付側では、１列目（１）及び２列目（２）の各々に、第１の種のレーン(ＳＧＳ)と第２の種のレーン(ＧＳＳＧ)とが交互にかつ列間で位置ずれして配置された形態を呈する。
【００４０】
特に図２に示す割り当て例の場合は、左端の３角形のピン割り当てが（Ｇ−Ｓ−Ｓ）すなわち、２列目（２）に配置された第２の種のレーン（ＧＳＳＧ）の１本のグランドピンＧと、１本の信号ピンＳ＋と、１列目（１）に配置された第１の種のレーン（ＳＧＳ）の１本の信号ピンＳ＋と、が３角形の頂点にそれぞれ位置している。
【００４１】
また図３に示す割り当て例の場合は、左端の３角形のピン割り当てが（Ｓ−Ｇ−Ｇ）すなわち、１列目（１）に配置された第１の種のレーン（ＳＧＳ）の１本の信号ピンＳ＋と、１本のグランドピンＧと、２列目（２）に配置された第２の種のレーン（ＧＳＳＧ）の１本のグランドピンＧとが３角形の頂点にそれぞれ位置している。
【００４２】
図２においては１列目（１）、２列目（２）ともに左端から配置されているが、図４に示すように１列目（１）、２列目（２）ともに右端から配置されてもよい。
【００４３】
同様に、図３においては１列目（１）、２列目（２）ともに左端から配置されているが、図５に示すように１列目（１）、２列目（２）ともに右端から配置されてもよい。
【００４４】
上述した様々な例では、１列目（１）及び２列目（２）の各々はレーンのみで構成されているが、差動信号のための信号ピンＳ＋、Ｓ−やグランドピンＧの他に、差動信号と直接には関係しない信号や電源などを扱うための端子やピンを備えてもよい。例えば図６に示すように、１列目（１）及び２列目（２）の各々の右端側に、低速信号のための信号ピンＬ＋、Ｌ−及びグランドピンＧや、バスパワーのための電源端子ＰＷＲを追加してもよい。
【００４５】
追加される端子やピンは、１列目（１）及び２列目（２）の少なくとも一方に、かつ、その右端側及び左端側の少なくとも一方に備えられてもよい。また追加される端子やピンは、レーンとレーンとの間に挿入配置されてもよい。
【００４６】
次に図７を参照して、レーン数とグランドを割り当てたピンの数との関係について説明する。
【００４７】
図７のグラフにおいて、縦軸はＧＮＤ比率（グランドピン数／レーン数）を示し、横軸はレーン数を示す。なお、「レーン数」とは「２番目以降のレーンの繰返し数」である。１番目のレーンは数えていない。なおかつ１列目、２列目に同数のレーンを配置しているので偶数である。（ａ）は図２に示す割り当て例の場合、（ｂ）は図３に示す割り当て例の場合、（ｃ）は図９における基板半田付側のような割当ての場合、（ｄ）は図１０における基板半田付側のような割当ての場合である。
【００４８】
（ｃ）や（ｄ）においては、レーン数に応じてＧＮＤ比率が変動する。これに対し、（ａ）や（ｂ）においては、レーン数に係らずＧＮＤ比率は一定である。
【００４９】
さらに図８を参照して、レーン数とスペース効率との関係について説明する。
【００５０】
図８のグラフにおいて、縦軸はスペース効率（ピン数／レーン数）を示し、横軸はレーン数を示す。（ａ）は図２に示す割り当て例の場合、（ｂ）は図３に示す割り当て例の場合、（ｃ）は図９における基板半田付側のような割当ての場合、（ｄ）は図１０における基板半田付側のような割当ての場合である。
【００５１】
（ｃ）や（ｄ）においては、レーン数が少なくなるにつれてスペース効率が変動する。これに対し、（ａ）や（ｂ）においては、レーン数に係らずスペース効率は一定である。グラフ上では（ａ）と（ｂ）は重なっている。
【００５２】
なお、上述では特定の実施形態を用いて説明したが、様々な変形が可能であり、それらの変形も本発明に包含されることは勿論である。
【符号の説明】
【００５３】
１  コネクタ嵌合側
２  基板半田付側
１０  コネクタ
１１  基板
１２  ハウジング
１２ａ  コネクタ嵌合側部分
１３  コンタクト即ちピン
１３ａ  １列目ピン
１３ｂ  ２列目ピン
１４  シェル
Ｓ  信号ピン
Ｓ＋  差動信号の正相信号を割り当てられた信号ピン
Ｓ−  差動信号の負相信号を割り当てられた信号ピン
Ｇ  グランドピン
(ＳＧＳ)  第１の種のレーン
(ＧＳＳＧ)  第２の種のレーン
【図１】
2012226903.tif 000003
【図２】
2012226903.tif 000004
【図３】
2012226903.tif 000005
【図４】
2012226903.tif 000006
【図５】
2012226903.tif 000007
【図６】
2012226903.tif 000008
【図７】
2012226903.tif 000009
【図８】
2012226903.tif 000010
【図９】
2012226903.tif 000011
【図１０】
2012226903.tif 000012